(57)【要約】【課題】            暑苦しさ等の不快感のない快適な着用感を得ることができる上、着付け後に着崩れを生じ難く美観にも優れた着付補助衣を提供する。【解決手段】        装用者Ａの背中にならって形取られた本体部１０に、衿２０と胴補正用の胴補正締め３０とを一体的に具備してなる着付補助衣であって、前記衿２０は、その両前衿２０ａ，２０ａを交差させて下方へ垂れ下げるように形成され、前記胴補正締め３０は、垂れ下がった前記衿２０の両前衿２０ａ，２０ａに重なり合うように設けられるとともに、その一端側と他端側とを着脱可能にする第一係止手段３２を備え、前記本体部１０は、その裾１０ａを前記胴補正締め３０よりも下方へ突出させている。【選択図】          図１
0003109965.tif 000002
【実用新案登録請求の範囲】
【請求項１】
装用者の背中にならって形取られた本体部に、衿と胴補正用の胴補正締めとを一体的に具備してなる着付補助衣であって、
前記衿は、その両前衿を交差させて下方へ垂れ下げるように形成され、
前記胴補正締めは、垂れ下がった前記衿の両前衿に重なり合うように設けられるとともに、その一端側と他端側とを着脱可能にする係止手段を備え、
前記本体部は、その裾を前記胴補正締めよりも下方へ突出させていることを特徴とする着付補助衣。
【請求項２】
上記本体部を、上記衿と上記胴補正締めとの間で弾性的に伸縮するように構成したことを特徴とする請求項１記載の着付補助衣。
【請求項３】
上記本体部には、上記胴補正締めの長手方向に沿う衿固定用ベルトが設けられ、
この衿固定用ベルトは、弾性的に伸縮可能な材料から形成されるとともに、その両端部の各々に、上記衿の各前衿に対し着脱可能な係止手段を備えていることを特徴とする請求項１又は２記載の着付補助衣。
【考案の詳細な説明】
【技術分野】
【０００１】
本考案は、肌襦袢等の肌着と着物との間など、着物の内側に着用される着付補助衣に関するものである。
【背景技術】
【０００２】
周知のように着付けの際、肌襦袢等の肌着と着物との間には、長襦袢や半襦袢等の襦袢が着用される。この襦袢は、装飾された衿を着物の衿の内側に重ねるようにして露出させることで、着付け後の美観を良好にしており、この襦袢の着かたには、抜き衣紋を大きくして装用者の襟足を広く出すものや、抜き衣紋を小さくして装用者の襟足を隠すものなどがある（特許文献１参照）。
【０００３】
しかしながら、前記従来技術によれば、着物着用時には肌襦袢（肌着）や着物等と共に重ね着されるものであるため、暑苦しさ等の不快感を装用者に与えてしまう場合があった。
また、装用者が背中を屈伸等すると、襦袢の衿が着物の衿よりも外側へはみ出し、着付け後の美観を損ねてしまうこともある。
更に、着用された状態で、前衿の交差部分がずれたり、前衿が浮いたり等の見苦しさを生じる場合もある。
【特許文献１】実用新案登録公報  第２５０７７７２号
【考案の開示】
【考案が解決しようとする課題】
【０００４】
本考案は上記従来事情に鑑みてなされたものであり、その課題とする処は、暑苦しさ等の不快感のない快適な着用感を得ることができる上、着付け後に着崩れを生じ難く美観にも優れた着付補助衣を提供することにある。
【課題を解決するための手段】
【０００５】
上記課題を解決するために第一の考案では、装用者の背中にならって形取られた本体部に、衿と胴補正用の胴補正締めとを一体的に具備してなる着付補助衣であって、前記衿は、その両前衿を交差させて下方へ垂れ下げるように形成され、前記胴補正締めは、垂れ下がった前記衿の両前衿に重なり合うように設けられるとともに、その一端側と他端側とを着脱可能にする係止手段を備え、前記本体部は、その裾を前記胴補正締めよりも下方へ突出させていることを特徴とする。
【０００６】
また、第二の考案では、上記本体部を、上記衿と上記胴補正締めとの間で弾性的に伸縮するように構成したことを特徴とする。
【０００７】
また、第三の考案では、上記本体部には、上記胴補正締めの長手方向に沿う衿固定用ベルトが設けられ、この衿固定用ベルトは、弾性的に伸縮可能な材料から形成されるとともに、その両端部の各々に、上記衿の各前衿に対し着脱可能な係止手段を備えていることを特徴とする。
【考案の効果】
【０００８】
本考案は、以上説明したように構成されているので、以下に記載されるような作用効果を奏する。
第一の考案によれば、本体部を装用者の背中にあてて、衿を装用者の首回りに掛けて前衿を交差させ、胴補正締めを装用者の胴回りに巻いて係止手段によって固定すると、装用者の胸側で交差した状態の両前衿が、浮きや撓み等のない整った状態で固定され、それと同時に胴補正締めによる胴補正も行われる。
したがって、着物の下に着用される従来の襦袢を不要にし、暑苦しさ等の不快感のない快適な着用感を得ることができる上、着付け後に着崩れを生じ難く美観にも優れた着付補助衣を提供することができる。
しかも、装着中や装着後の装用者の動き等により、前衿が撓んだり等し崩れた場合には、衿先を下方へ引くことで、容易に衿を整えることができる。
【０００９】
更に、第二の考案によれば、本体部が弾性的に伸縮するため、装用者の動きに起因して、抜き衣紋の大きさが変わってしまったり、当該着付補助衣の衿が着物の衿からはみ出したり等、着付け後の着崩れを、より確実に防止することができる。
【００１０】
更に、第三の考案によれば、衿固定用ベルトの両端部を、交差状態の前衿の衿先側に係止することて、両前衿をより確りと固定することができる。
しかも、衿固定用ベルトが弾性的に伸縮するため、前衿の浮きや撓み等、着付け後の着崩れを、いっそう確実に防止することができる。
【考案を実施するための最良の形態】
【００１１】
以下、本考案の実施の形態を図面に基づいて説明する。
この着付補助衣１は、装用者Ａの背中面にならって形取られた本体部１０と、該本体部１０の上端に縫い付けられた衿２０と、該本体部１０における裾１０ａ側に縫い付けられた胴補正用の胴補正締め３０と、該本体部１０の背面に設けられた衿固定用ベルト４０とを一体的に具備し、装用者Ａが着付けする際に、肌襦袢等の肌着と着物との間に着用される。
【００１２】
本体部１０は、その上半部側が上下方向へ弾性的に伸縮するように構成された本体布１１と、該本体布１１における伸縮可能部分の下側に縫付けられて衿固定用ベルト４０を挿通可能にする被挿通片１２とからなる。
【００１３】
本体布１１は、薄手の布を、半襦袢から前身頃、袖、及び衿等を除いた略台形状に構成したものであり、単一の布からなる態様であってもよいし、複数の布を縫い付けてなる態様であってもよい。
この本体布１１上端の衿付け部分は、着用された状態で通常の襦袢着用時と略同じ後衿の曲線ができるように、適宜なカーブに形成され、後述する衿２０に縫付けられる。
【００１４】
また、前記本体布１１の上半部は、所謂シャーリング加工が施されることで弾性的に伸縮するように構成されている。このシャーリング加工は、より具体的に説明すれば、本体布１１の上半部に、その上下方向へわたって、伸ばされた状態のゴム紐１３を縫い付けるようにした加工である。
前記構成によれば、本体布１１の上半部は、ゴム紐１３の収縮力により収縮した状態に維持され、上下方向への引張り力が加わることで弾性的に伸長する。
なお、本体部１０を弾性的に伸縮可能にする構造は、前記態様に限定されるものでなく、例えば、前記構成からゴム紐１３を省き、本体布１１自体を弾性的に伸縮する材料によって構成した態様とすることも可能である。
【００１５】
そして、上記構成の本体部１０の上下方向長さは、当該着付補助衣１が装用者Ａに着用された状態において、裾１０ａを下方へ引いて容易に抜き衣紋の大きさが調整できるように、適宜寸法に設定されている（図４参照）。
【００１６】
また、被挿通片１２は、比較的幅広のゴム紐を所定長さに切断し、その一端部と他端部との双方を、本体布１１の幅方向の略中央部分に縫い付けることで、衿固定用ベルト４０を挿通可能な環状に構成されている。
なお、図示例によれば、被挿通片１２の一端部と他端部とを、本体布１１における同一水平線上に縫い付けることで、その縫い付け作業性を良好にしているが、被挿通片１２の一端部と他端部とを上下方向へずらして縫い付けるようにすることも可能である。
【００１７】
また、衿２０は、略長尺帯状の衿布本体２１と、着付け後に着物の衿の内側に露出される半襟２２と、衿布本体２１及び半襟２２の型崩れを防ぐ衿芯２３とから一体的に構成されている。
衿布本体２１は、その長さ方向の中央近傍が装用者Ａの首周りに掛けられた状態で、両前衿２０ａ，２０ａを装用者Ａの胸側で交差させて下方へ垂れ下げるように、所定形状の布を折り重ねて縫い合わせることで構成されている。
この衿布本体２１の長さは、当該着付補助衣１の着用状態（図３参照）において、両衿先２０ｂ，２０ｂを下方へ引いて衿２０が整えられるように、適宜な寸法に確保されている。
【００１８】
また、半襟２２は、所望とする絵柄等の装飾が施された布であり、その長さ方向の一端部または両端部と衿布本体２１との間に衿芯２３を抜き差しするための開口部２２ａを確保した状態で、衿布本体２１に対し、その長さ方向の中央側を包むようにして縫い付けられている。
そして、衿芯２３は、軟質合成樹脂材料から略帯板状に形成され、前記開口部２２ａから衿布本体２１と半襟２２との隙間に挿入され、必要に応じて同開口部２２ａから抜けるようになっている。この衿芯２３の端部は、衿布本体２１と半襟２２との隙間への挿入を容易にするために先細状に形成されている。
【００１９】
また、胴補正締め３０は、装用者Ａの胴に略一巻きされる長さの補正締め本体３１と、該補正締め本体３１の長さ方向の両端側に止着された第一係止手段３２とからなり、本体部１０の裾１０ａを下方へ突出させるとともに着用時に垂れ下がった状態の衿２０の両前衿２０ａ，２０ａに重なり合うように配置されて、本体部１０の下半部側に配置され縫い付けられている。
この胴補正締め３０の縫い付け箇所について、より詳細に説明すれば、該胴補正締め３０における上辺の中央側部分が、本体部１０の上下寸法の略中央の部分に対し、部分的に縫い付けられている。この構成によれば、本体部１０の裾１０ａを下方へ引っ張って衣紋を抜く際、裾１０ａの下方への引張力が効果的に衿２０の後衿部分に伝達するため、その衣紋抜きを容易に行うことができる。
【００２０】
補正締め本体３１は、吸湿性及び通気性の良好な所定形状の布を折り重ね縫い合わせることで、比較的厚手に構成された補正締めである。
そして、第一係止手段３２は、所謂ベルベットファスナー若しくは面ファスナーであり、その一片部を補正締め本体３１の一端側に縫付けるとともに、他片部を同補正締め本体３１の他端側に縫付けることで構成されている。
この第一係止手段３２は、補正締め本体３１の一端側と他端側とを着脱可能に係止する構造であれば他の構成であってもよく、例えば、ボタンとボタン孔による構成や、フック状金具を用いた構成等に置換することも可能である。
【００２１】
また、衿固定用ベルト４０は、弾性的に伸縮可能なベルト本体４１と、該ベルト本体４１の両端部の各々に止着されて衿２０の各前衿２０ａに対し着脱可能な第二係止手段４２とを具備し、本体部１０の被挿通片１２に挿通されている。
ベルト本体４１は、略長尺帯状のゴム紐であり、装用者Ａの胴を後ろから周って交差状態の両前衿２０ａ，２０ａに届く長さに形成されている。
【００２２】
第二係止手段４２は、その基端部側の操作により先端側が開閉されるようにしたクリップ状の機構であり、前衿２０ａに対し容易に着脱できる構成であれば、例えば、ベルベットファスナーや面ファスナー、ボタン、フック状金具等、他の周知の着脱機構に置換することも可能である。
なお、前記構成において、衿固定用ベルト４０を二部材から構成し、各部材の一端側を本体部１０に止着するとともに、その他端側に、第二係止手段４２を止着した構成とすることも可能である。
【００２３】
次に、上記構成の着付補助衣１について、その作用効果を詳細に述べる。
先ず、上記着付補助衣１は、その本体部１０が肌着等を着た装用者Ａの背中にあてられ、衿２０が装用者Ａの首回りに掛けられ、衿２０の両前衿２０ａ，２０ａが装用者Ａの胸側で交差される。そして、衿固定用ベルト４０が、装用者Ａの胴に対し後側から前側へまわせられ、その各先端側の第二係止手段４２が、交差した状態の各前衿２０ａに係止される（図２参照）。
【００２４】
次に、胴補正締め３０が、装用者Ａの胴に対し後側から前側へまわされ、衿固定用ベルト４０の両第二係止手段４２を隠すようにして、両第二係止手段４２の外側に重ね合わせられ、その状態で、該胴補正締め３０両端部が、第一係止手段３２によって接続される（図３参照）。
そして、胴補正締め３０よりも下方へ突出した両衿先２０ｂ，２０ｂが下方へ引かれることで、衿２０の装着状態が整えられ（図３参照）、更に、本体部１０の裾１０ａが下方へ引かれることで、抜き衣紋の大きさが適宜に調整される（図４参照）。
そして、前記のようにして着付補助衣１が着用された後に、該着付補助衣１の上側には、着物が着付けされる。
【００２５】
上記着付補助衣１を用いた着付けによれば、装用者Ａの胸側で交差した状態の両前衿２０ａ，２０ａが、衿固定用ベルト４０による係止と胴補正締め３０による押圧とによって、浮きや撓み等のない整った状態で固定され、それと同時に胴補正締め３０による胴補正も行われる。しかも、装着中や装着後の装用者の動き等により、前衿２０ａが撓んだ場合には、衿先２０ｂを下方へ引くことで、容易に衿２０を整えることができる。
更に、本体部１０の本体布１１及び被挿通片１２が弾性的に伸縮するため、抜き衣紋の形状が崩れてしまったり、衿２０が着物の衿からはみ出したり等、着付け後の着崩れを防止することができ、仮にこのような着崩れを生じた場合であっても、本体部１０の裾１０ａを下方へ引くことで容易に修正することができる。
【図面の簡単な説明】
【００２６】
【図１】本発明に係わる着付補助衣の一例を示す背面図である。
【図２】同着付補助衣を装用者に装着している状態であって、胴補正締めを係止する前の状態を示す正面図である。
【図３】同着付補助衣を装用者に装着した状態を示す正面図である。
【図４】同着付補助衣を装用者に装着した状態を示す背面図である。
【符号の説明】
【００２７】
１０：本体部
１０ａ：裾
２０：衿
２０ａ：前衿
２０ｂ：衿先
３０：胴補正締め
３２：第一係止手段
４０：衿固定用ベルト
４２：第二係止手段
Ａ：装用者
【図１】
0003109965.tif 000003
【図２】
0003109965.tif 000004
【図３】
0003109965.tif 000005
【図４】
0003109965.tif 000006